(57)【要約】【課題】  シートを縦・横どちら側に重ねても袋にする事ができ、シートとなる面を敷物にしても痛くなく、シートの大きさを容易に広げる事ができるシート兼袋を提供する。【解決手段】  一枚のシートの持ち手を設けられていない側の端部に、縦・横のどちら側に折り重ねても開閉する事ができ、さらに、どこからでも開閉する事ができる開閉自在のファスナーを設け、開閉自在のファスナーを閉じると袋となり、開けるとシートにもなり、シートの重ねる方向により、袋の形状・収納のバリエーションができ、袋の開閉口に設ける開閉自在のスナップもどの方向に折り重ねても開閉する事ができるように配置を考慮して設けてあり、開閉自在のファスナーを袋の外側の端部にも同様に設ける事ができ、シートの四方を、複数枚容易に繋ぐ事ができることを特徴とするシート兼袋。【選択図】図５
2019084326.tif 000002
【特許請求の範囲】
【請求項１】
一枚のシートの持ち手を設けられていない側の端部に、縦・横のどちら側に折り重ねても開閉する事ができ、さらに、どこからでも開閉する事ができる開閉自在のファスナー等を設け、開閉自在のファスナー等を閉じると袋となり、開けるとシートにもなり、シートの重ねる方向により、袋の形状・収納のバリエーションができ、袋の開閉口に設ける開閉自在のスナップ等もどの方向に折り重ねても開閉する事ができるように配置を考慮して設けてあり、シートの各端部に設ける開閉自在のファスナー等は、袋となる内側でも外側の端部でも設けることができ、袋となる外側の端部に設けた場合、開閉自在のファスナー等を設けた端部を袋の内側に折って、袋の内側で折り重ねて閉じることで、同様に使用ができ、シートとして広げた時に、開閉自在ファスナー等が下側になるので、シートの下の別敷物等にシートを固定する事もでき利用範囲が広がるシート兼袋。
【請求項２】
リュックサックになる一枚のシートの上部と下部にリュック紐が通り、シートの側面の中心に紐通し穴が通る幅の布等を左右に２箇所ずつ設け、リュック紐が紐通し穴を通る構成で、リュック紐の左右に設けた紐ストッパーで、シートの開閉幅を調節する事ができ、リュック紐の結び方を適宜変更して利用できる請求項１のシート兼袋。
【請求項３】
上記各シートは、サイズ・種類が同じシートにおいて、各シートの開閉自在のファスナー等や、開閉自在のスナップ等を合わせ四方に、複数枚容易に繋ぐ事ができ適宜でシートの大きさを広げることができる請求項１又は請求項２のシート兼袋。
【発明の詳細な説明】
【技術分野】
【０００１】  本発明は、多用途の利用に活用できるシートで袋にも利用できる、シート兼袋に関するものである。
【背景技術】
【０００２】従来は、シートと袋は別々の物での利用が多い。特許文献１・２では、シートが袋にもなる商品として、キャンプやスポーツ観戦等でのクッション・レインパーカー・レジャーシート等になる袋がある。特許文献３は、四辺の縁を折返し紐を通して絞り袋とするもので、特許文献１・３では、シートに凹凸があり、敷物として利用する場合には痛く違和感がある。
また、特許文献１・２・３では、容易に大きさを広げる事ができず、特許文献４においては、四角状のシートの辺の挿通孔に紐を通して結合していくもので、広げることができても紐でとめる点で連結に手間取り、穴が破れたり、紐が切れやすい欠点がある。
【先行技術文献】
【特許文献】
【０００３】
【特許文献１】特開平１０−３２７９１９号公報
【特許文献２】特開平８−８９３６５号公報
【特許文献３】実登録３１６４８８１号公報
【特許文献４】実登録３１３３１２３号公報
【発明の概要】
【発明が解決しようとする課題】
【０００４】  現状では、シートは袋とは別での利用が多い。
シートとリュックとしての案件の特許文献１においては、利用範囲は色々あるが、シートを敷物として利用する場合には、ファスナーや紐等の凹凸により痛く違和感がある。さらに大きさが限定され広く利用したい場合は無理がある。特許文献２においても、コンパクトに折り畳むことができるが、特許文献１と同様に大きさが限定される。特許文献３は、シンプルな構造だが、利用範囲が狭く、特許文献１と同様に敷物として利用する場合には、紐等の凹凸により痛く違和感があるし、大きい物には対応できない。特許文献４においては、紐でとめる点で、連結に手間取り、穴が破れたり、紐が切れたりするうえに容易に閉じて袋にできない。
また、介護シートやお昼寝マットシート等でシートを下の敷物等に固定する事もでき、要介護者や赤ちゃん等が寝転んでも痛くないシートで、さらに、汚れた衣類等を入れる袋にもなる商品は無い。
さらに、シートと袋の大きさや形状を適宜に応じて容易に変える事ができる商品がない。
本発明は、以上の問題点を解決するものである。
【課題を解決するための手段】
【０００５】  一枚のシートの持ち手を設けられていない側の端部に、縦・横のどちら側に折り重ねても開閉する事ができ、さらに、どこからでも開閉する事ができる開閉自在のファスナー等を設け、開閉自在のファスナー等を閉じると袋となり、開けるとシートにもなり、シートの重ねる方向により、袋の形状・収納のバリエーションができる。
また、袋の開閉口に設ける開閉自在のスナップ等もどの方向に折り重ねても開閉する事ができるように配置を考慮して設けてある。
さらに、シートの各端部に設ける開閉自在のファスナー等は、袋となる内側でも外側の端部でも設けることができ、袋となる外側の端部に設けた場合、開閉自在のファスナー等を設けた端部を袋の内側に折って、袋の内側で折り重ねて閉じることで、同様に使用ができる。この場合シートとして広げた時に、開閉自在ファスナー等が下側になるので、シートの下の別敷物等にシートを固定する事もでき利用範囲が広がる。
さらに、一枚のシートの上部と下部にリュック紐が通り、シートの側面の中心に紐通し穴が通る幅の布等を左右に２箇所ずつ設け、リュック紐が紐通し穴を通る構成で、リュック紐の左右に設けた紐ストッパーで、シートの開閉幅を調節する事ができ、リュック紐の結び方を適宜変更して利用できるシートにもなるリュックサックである。
上記各シートは、サイズ・種類が同じシートにおいて、各シートの開閉自在のファスナー等や、開閉自在のスナップ等を合わせ四方に、複数枚容易に繋ぐ事ができ適宜でシートの大きさを広げることができる。
以上の構成よりなるシート兼袋。
【発明の効果】
【０００６】（イ）本発明により、一枚のシートで、袋にも利用ができる。さらに、収納物に応じてシートを重ねて袋にする方向を縦・横適宜にどちら側にも容易に重ねる事ができることにより、袋の大きさ・形状のバリエーションが増える。さらに、縦折りにした状態から半分に折り重ねる事で袋の挿入口を２箇所設ける事もできるので、温かい物と冷たい物等を分ける事もできるので便利である。
（ロ）また、シートを敷物として利用する場合、表面に凹凸が無いので痛くならず、さらに、シートの連結のファスナーを別敷物等に固定する事もできるので介護シート・お昼寝マットシ−ト等としても利用ができる。
（ハ）また、シートの四方を、複数枚容易に繋ぐ事ができるので大きいシートにも利用できる。
【図面の簡単な説明】
【０００７】
【図１】  本発明の開いた状態のシートの平面図
【図２】  本発明の閉じた状態の袋の正面図
【図３】  本発明を縦折りした状態の袋の正面図
【図４】  本発明を縦折りしさらに半分に折った袋の斜視図
【図５】  本発明のファスナーを袋となる外側の端部に設けた詳細のシートの斜視図
【図６】  本発明の買い物袋の使用の正面図
【図７】  本発明のリュックサックの開いた状態のシートの平面図
【図８】  本発明の閉じた状態の袋と紐を絞りリュックサックの状態の正面図
【図９】  本発明のリュックサックを縦折りした状態の袋の正面図
【図１０】  本発明のリュックサックを縦折りしさらに半分に折った袋の斜視図
【図１１】  本発明を縦折りした状態の傘先使用の袋の正面図と詳細図
【図１２】  本発明の持ち手紐を使用した開いた状態のシートの平面図
【図１３】  本発明の図５の使用の斜視図
【図１４】  本発明の複数枚繋いだ状態の斜視図
【図１５】  本発明の底部を設けた袋の斜視図
【発明を実施するための形態】
【０００８】  以下、本発明の実施の形態を説明する。
（イ）  一枚のシート（１）の持ち手（３）を設けられていない側の端部に縦・横のどちら側に折り重ねても開閉する事ができ、さらに、どこからでも開閉する事ができる開閉自在のファスナー等（２）を設け、開閉自在のファスナー等（２）を閉じると袋（４）となり、開けるとシート（１）にもなり、シート（１）の重ねる方向により、袋（４）の形状・収納のバリエーションができる。
（ロ）  また、袋（４）の開閉口に設ける開閉自在のスナップ等（５）もどの方向に折り重ねても開閉する事ができるように配置を考慮して設けてある。
（ハ）  さらに、シート（１）の各端部に設ける開閉自在のファスナー等（２）は、袋（４）となる内側でも外側の端部でも設けることができ、袋（４）となる外側の端部に設けた場合、開閉自在のファスナー等（２）を設けた端部を袋（４）の内側に折って、袋（４）の内側で折り重ねて閉じることで、同様に使用ができる。この場合シート（１）として広げた時に、開閉自在ファスナー等（２）が下側になるので、シート（１）の下の別敷物（９）等にシート（１）を固定する事もでき利用範囲が広がる。
（ニ）  さらに、一枚のシート（１）の上部と下部にリュック紐（３ｂ）が通り、シート（１）の側面の中心に紐通し穴（６）が通る幅の布等を左右に２箇所ずつ設け、リュック紐（３ｂ）が紐通し穴（６）を通る構成で、リュック紐（３ｂ）の左右に設けた紐ストッパー（７）で、シート（１）の開閉幅を調節する事ができ、リュック紐（３ｂ）の結び方を適宜変更して利用できるシート（１）にもなるリュックサックである。
（ホ）  上記各シート（１）は、サイズ・種類が同じシート（１）において、各シート（１）の開閉自在のファスナー等（２）や、開閉自在のスナップ等（５）を合わせ四方に、複数枚容易に繋ぐ事ができ適宜でシート（１）の大きさを広げることができる。
本発明は以上のような構造である。
【０００９】  本発明を使用するときは、図１に示すように、袋（４）の両側面にある開閉自在のファスナー等（２）を外して、シート（１）として利用し、図２に示すように、開閉自在のファスナー等（２）を閉じると袋（４）として利用することもできる。
また、図１〜３に示すように、一枚のシート（１）の持ち手（３）を設けられていない側の端部に、縦・横のどちら側に折り重ねても開閉する事ができ、さらに、どこからでも開閉する事ができる開閉自在のファスナー等（２）により、シート（１）の縦・横のどちら側にも折り重ねる事ができ、重ねる方向により、袋（４）の形状・収納のバリエーションができる。
【００１０】  さらに、シート（１）の各端部に設ける開閉自在のファスナー等（２）は、袋（４）となる内側でも外側の端部でも設けることができ、袋（４）となる外側の端部に設けた場合、図５のように、開閉自在のファスナー等（２）を設けた端部を袋（４）の内側に折って、袋（４）の内側で折り重ねて閉じることで、同様に使用ができる。この場合シート（１）として広げた時に、開閉自在ファスナー等（２）が下側になるので、図１３に示すように、シート（１）の下の別敷物（９）等にシート（１）を固定する事もできるので安定する。また、開閉自在のファスナー等（２）が表側には無いので、寝転んで使用する場合でも痛くない為利用範囲が広がる。
【００１１】  使用例として、図６に示すように、袋（４）の両側面にある開閉自在のファスナー等（２）によりどこからでも開閉する事ができるので、買い物袋（４）として、長物（大根・ねぎ等）の端を出した状態でも利用できる。
その他、ランチ・ピクニック用の袋（４）として利用し、開けるとランチ・ピクニックシート（１）として利用でき、帰りは、そのままランチケース等入の袋（４）として持ち帰れる。一人用の場合は、シート（１）は、広げて使用しても良いし、広げずにそのままで使用する事ができ、座る際の敷物として利用してもよい。
【００１２】  さらに、おむつ交換シート（１）として利用し（取り外し可能シート付）、着替え等を入れるマザーズサブバックとしても利用ができる。おむつ交換時期が過ぎれば、マザーズサブバック・買い物袋（４）として利用ができる。この場合開閉自在のファスナー等（２）を袋（４）となる外側の端部に設ける事により、図１３に示すように、シート（１）として広げた時に、開閉自在ファスナー等（２）が下側になるので、赤ちゃんが寝転んでも痛くならないので安心である。
その他、介護シート（１）として利用し、そのまま汚れた介護用品等を入れる袋（４）として利用もできる。この場合も開閉自在のファスナー等（２）を袋（４）となる外側の端部に設ける事により、図１３に示すように、シート（１）として広げた時に、開閉自在ファスナー等（２）が下側になるので、下の別敷物（９）等にシート（１）を固定して利用ができる。さらに要介護者が痛くならないし、シート（１）の取替えもしやすい。その他、子供のお昼寝マットシート（１）と汚れた衣類等を入れる袋（４）にも同様に利用ができる。
また、ペット用のシート（１）として利用し、ペット用品等を入れる袋（４）として利用もできる。この場合も上記同様に、開閉自在のファスナー等（２）を袋（４）となる外側の端部に設ける事により、シート（１）を下の別敷物（９）等に固定して利用ができる。
【００１３】  また、玩具用収納袋（４）として利用し、広げて、プレイマットシート（１）として利用し、そのまま玩具を容易に片付け、玩具用収納袋（４）とすることができる。
その他、途中で、着替えをする時に、着替え用シート（１）（別服・水着・浴衣等への着替えの際）として利用し、着替えた服等を入れる袋（４）として利用できる。
また、細長の袋（４）形状から、通常は、Ａ４サイズの縦長の袋（４）で、Ａ４サイズの書類入れ・折りたたみ傘入れ等で利用もでき、逆側に折り畳むとさらに細長い袋（４）となり、長傘入れ等の袋（４）としても利用ができる。長傘入れの場合、図１１に示すように、長傘の先の水受けとして、先を折り畳んだ構成となる。
【００１４】  また、通常は、袋（４）の持ち手（３）が上になるように重ねるが、その他の例として、図３・４に示すように、まず、持ち手（３）がある辺の中心より折り重ねた状態にしてから、さらに、各持ち手（３）が上に重なるように半分に折って使用する事により、袋（４）の挿入口が２箇所となり、１箇所の挿入口から、温かい物等を入れ、もう１箇所の挿入口からは、冷たい物等を入れ分けたり、また、書類関係入れと、その他の物入れ等に分けたりする事ができる。折り畳み方により、１つの袋（４）で、簡易ではあるが、２つの袋（４）となり、挿入物を適宜で分ける事もできる。この仕様は、各上記仕様の他、図９・１０に示すように、防災シート（１）兼袋（４）（リュックサック）や、バックｉｎバックにも利用ができ鞄の中の仕分けにも利用ができる。
その他、図７〜１０に示すように、防災用品等を入れる袋（４）（リュックサック）として利用し、袋（４）を広げると図７に示すように、防水・防寒用の防災シート（１）にもなり、保温冷シート（１）として利用したり、食事の際のクロス等に利用したり、座ったり横になる際のシート（１）として利用ができる。リュックサック袋（４）のリュック紐（３ｂ）は適宜、紐通し穴（６）より取り外し可能なので、紐の結び方法を適宜に変えて利用する事もできる。
例えば、腕・足等を怪我した場合等に、シート（１）を患部に覆って、リュック紐（３ｂ）を紐通し穴（６）から外し、シート（１）の幅を紐ストッパー（７）で調節して両サイドをリュック紐（３ｂ）で結び保温等の応急処置もできる。
さらに、図８に示すように、袋（４）の挿入口の開閉幅を調節できるように、リュック紐（３ｂ）にある、紐ストッパー（７）で開閉幅を調節してリュックサックとして利用できる。
【００１５】  上記各シート（１）は、サイズ・種類が同じシート（１）において、各シート（１）の開閉自在のファスナー等（２）や、開閉自在のスナップ等（５）を合わせ四方に複数枚容易に繋ぐ事ができ適宜でシート（１）の大きさを広げることができる。この場合開閉自在のファスナー等（２）を袋（４）となる内側の端部でも外側の端部でも、開閉自在のファスナー等（２）は各面を折り重ねる事ができるので、図１４に示すように、複数枚容易に繋ぐ事ができるので、大きいシート（１）を利用したい場合に便利である。
【００１６】  また、開閉自在のファスナー等（２）をオス・メス両方に可能なフリーの開閉自在のファスナー等（２）を利用すれば、図１５に示すように、袋（４）となる底先より左右に適宜の幅を折り重ねることにより底部（１０）を作ることもできる。
【００１７】  その他、防水エプロン・座席マット等にも利用できる。
各持ち手（３）の形状は、重い物を入れるケースは、図１２に示すように、持ち手紐（３ａ）で対応する。
各一例は、同基本構成で、各シート兼袋に応じて、開閉自在ファスナー等（２）｛種類・幅・位置（内側・外側）等｝・素材・各素材の組み合わせ・厚み・手持ち（形状・幅・厚み等）・開閉自在のスナップ等（５）（形状・大きさ・位置等）等を個別に対応する。
以上は一例で、同基本構成で、その他にも個別に対応し利用ができる。
【符号の説明】
【００１８】１    シート
２ａ  開閉自在ファスナー等（オス）
２ｂ  開閉自在ファスナー等（メス）
３    持ち手
３ａ  持ち手紐
３ｂ  リュック紐
４    袋
５ａ  開閉自在スナップ等（オス）
５ｂ  開閉自在スナップ等（メス）
６    紐通し穴
７    紐ストッパー
８    別敷物の開閉自在ファスナー等
９    別敷物
１０  底部
【図１】
2019084326.tif 000003
【図２】
2019084326.tif 000004
【図３】
2019084326.tif 000005
【図４】
2019084326.tif 000006
【図５】
2019084326.tif 000007
【図６】
2019084326.tif 000008
【図７】
2019084326.tif 000009
【図８】
2019084326.tif 000010
【図９】
2019084326.tif 000011
【図１０】
2019084326.tif 000012
【図１１】
2019084326.tif 000013
【図１２】
2019084326.tif 000014
【図１３】
2019084326.tif 000015
【図１４】
2019084326.tif 000016
【図１５】
2019084326.tif 000017